(57)【要約】      （修正有）【課題】構造が簡単で、高さが有効的に調節でき、見られる恥ずかしさを防ぐ隠蔽性の身長アップインソールを提供する。【解決手段】身長アップインソールは、上層支持板１と、下層支持板２と、上層支持板と下層支持板との間に設けられている中間調節層３とを、含み、上層支持板と下層支持板とは、第１ヒンジ連結軸４によって移動可能に連結されている。中間調節層は、第１ヒンジ面３１と第２ヒンジ面３２とを含み、第１ヒンジ面と第２ヒンジ面とは、第２ヒンジ連結軸３３によって移動可能に連結されている。第１ヒンジ面における第２ヒンジ面と連結されていない一端と、上層支持板における下層支持板と連結されていない一端とは、第３ヒンジ連結軸５によって移動可能に連結されている。上層支持板における第１ヒンジ連結軸と第３ヒンジ連結軸との間には、第２ヒンジ面の自由端をスライドさせて固定する上層固定装置が設けられている。【選択図】図１
0003198922.tif 000002
【実用新案登録請求の範囲】
【請求項１】
高さ調節装置が、上層支持板と、下層支持板と、上層支持板と下層支持板との間に設けられている中間調節層とを、含み、前記上層支持板の一端と下層支持板の一端とは、第1ヒンジ連結軸によって移動可能に連結され、前記中間調節層は、第1ヒンジ面と第2ヒンジ面とを含み、前記第1ヒンジ面の一端と前記第2ヒンジ面の一端とは、第2ヒンジ連結軸によって移動可能に連結され、前記第1ヒンジ面における第2ヒンジ面と連結されていない一端と、上層支持板における下層支持板と連結されていない一端とは、第3ヒンジ連結軸によって移動可能に連結され、前記上層支持板における第1ヒンジ連結軸と第3ヒンジ連結軸との間に位置する位置には、第2ヒンジ面の自由端を固定するのに用いられる上層固定装置が設けられ、前記上層固定装置と第2ヒンジ面の自由端とは、取り外し可能に連結されている、ことを特徴とする高さ調節装置が設けられているインソール本体を含む、隠蔽性の身長アップインソール。
【請求項２】
前記上層支持板と、前記層支持板と、前記1ヒンジ面と、前記第2ヒンジ面とは、全てが金属シートである、ことを特徴とする、請求項1に記載の隠蔽性の身長アップインソール。
【請求項３】
前記上層支持板において、中間調節層に向ける表面がZ字型に設けられており、前記第2ヒンジ面の自由端が、前記Z字型の表面のコーナ階段部に移動可能に接しており、前記コーナ段階部が前記上層固定装置であり、前記Z字型の表面上における第3ヒンジ連結軸とコーナ段階部との間に位置する位置に、中間調節層を収納可能である収納スペースが形成され、前記第2ヒンジ面の自由端がコーナ段階部から離れた後、第2ヒンジ面と第1ヒンジ面とは折畳まれて前記収納スペースに収納されていることを特徴とする、請求項1又は2に記載の隠蔽性の身長アップインソール。
【請求項４】
前記Z字型表面における第3ヒンジ連結軸とコーナ段階部との間に位置する側縁上には垂直方向バッフルが設けられ、前記垂直方向バッフルがZ字型表面に垂直し、前記垂直方向バッフルの一端がコーナ段階部に連結され、前記垂直方向バッフル上にZ字型表面に平行なスライディング溝が設けられ、前記第2ヒンジ面の自由端の側縁には制御軸が設けられ、前記制御軸の自由端は前記Z字型表面のスライディング溝の経由で設けられ、前記制御軸はスライディング溝に沿ってスライディングされ、前記制御軸において、スライディング溝を経由した端ヘッドに軸カバーが設けられ、前記軸カバーのサイズが前記スライディング溝の溝ポートのサイズより大きい、ことを特徴とする、請求項3に記載の隠蔽性の身長アップインソール。
【請求項５】
前記第2ヒンジ連結軸上にトーションばねが設けられ、前記トーションばねの一端が第1ヒンジ面上に固定され、他の一端が第2ヒンジ面上に固定され、前記第2ヒンジ面の制御軸上の軸カバーは、制御軸の軸方向に沿ってスライディングされ、前記スライディング溝におけるコーナ段階部から離れている一端の溝壁には位置決めポートが設けられ、第2ヒンジ面と第1ヒンジ面とが折り畳まれると、軸カバーは制御軸に沿って内部に向かってスライディングして前記位置決めポートに挿入される、ことを特徴とする、請求項4に記載の隠蔽性の身長アップインソール。
【請求項６】
前記インソール本体は、人体のヒールの位置に応じて上下層が分離された状態の層状構造に設けられ、前記高さ調節装置は、前記層状構造の上下層の間に設けられている、ことを特徴とする、請求項1又は2に記載の隠蔽性の身長アップインソール。
【考案の詳細な説明】
【技術分野】
【０００１】
本考案は、インソールに関し、特に、隠蔽性の身長アップインソールに関する。
【背景技術】
【０００２】
人々の日常生活において、靴はなくてはならないものである。市販されている靴は、種類が多く、実用的な大量の改善及び考案があるだけでなく、装飾的な多様性もある。また、背の低い人の需要に応じて、さらに市販の各種の内部身長アップ靴が現れている。従来のこれら内部身長アップ靴は、優れた内部身長アップの効果があるが、多くの不便なところも明らかに存在している。例えば、普通の内部身長アップ靴において、その構造は靴内に一つの靴内身長アップインソールを追加した構造であって、前記靴内身長アップインソールはプラスチック材質からなっている一体的構造である。
【０００３】
前記靴内身長アップインソールは一つの全体として靴内に設置されているため、使用者が靴を脱いだ時、身長アップインソールが人々に見られる恥ずかしい場合があるだけでなく、高さも調整できない。そのため、長時間ウォーキングするすると、足指、足下が疲れ易くなり、常に履くと日常生活及びウォーキングに不便であるだけでなく、健康にも悪い。そして、プラスチック材質は使用過程で重量の圧力により収縮して低く成り易く、使用寿命が短く、全体的な実用性が良くない。
【０００４】
特許番号がCN99230059.2である中国特許では、高さを調節できる内部身長アップ靴が開示され、当該靴は靴面と靴底とを含み、内部身長アップインソールの後部には水平方向溝が設けられており、水平方向溝には調節挿入シートが挿入されており、水平方向溝の構造は隠蔽的に設計されているため、見られる恥ずかしさを防ぐことができる。また、調節挿入シートと水平方向溝との間の取り外し可能な操作を調節することにより、高さの調節作用に達し、構造が簡単で、製造が便利である。但し、前記調節挿入シートは携帯を必要とするため、極めて不便であり、且前記調節挿入シートが取り外した後に紛失し易く、内部身長アップインソールの高さの調節作用も消えてしまい、実用性が良くない。
【考案の概要】
【考案が解決しようとする課題】
【０００５】
従って、上記の課題に対して、本考案は構造が簡単で、製造が便利で、有効的に高さを調節し、且見られる恥ずかしさを防ぎ、実用性の良い隠蔽性の身長アップインソールを提供している。
【課題を解決するための手段】
【０００６】
上記の技術的課題を実現するために、本考案は、隠蔽性の身長アップインソールを解決案としている。前記身長アップインソールは、インソール本体を含み、前記インソール本体には高さ調節装置が設置され、前記高さ調節装置は上層支持板と、下層支持板と、上層支持板と下層支持板との間に設けられている中間調節層とを、含み、前記上層支持板の一端と下層支持板の一端とは、第1ヒンジ（hinge）連結軸によって移動可能に連結されている。
【０００７】
前記中間調節層は、第1ヒンジ面と第2ヒンジ面とを含み、前記第1ヒンジ面の一端と前記第2ヒンジ面の一端とは、第2ヒンジ連結軸によって移動可能に連結されている。前記第1ヒンジ面における第2ヒンジ面と連結されていない一端と、上層支持板における下層支持板と連結されていない一端とは、第3ヒンジ連結軸によって移動可能に連結されている。
【０００８】
前記上層支持板における第1ヒンジ連結軸と第3ヒンジ連結軸との間に位置する位置には、第2ヒンジ面の自由端を固定するのに用いられる上層固定装置が設けられ、前記上層固定装置と第2ヒンジ面の自由端とは、取り外し可能に連結されている。
【０００９】
更に、前記上層支持板と、下層支持板と、第1ヒンジ面と、第2ヒンジ面とは、全てが金属シートであり、金属シートは高い強度を具備し、強大な支持力が提供でき、且足下の長時間の作用下でも変形し難く、ダメージも少なく、長時間の使用寿命を具備する。即ち、高さ調節装置の使用寿命が延長され、且金属シートの機械性能が優れており、高さ調節装置の操作機能が向上される。
【００１０】
更に、前記上層支持板において、中間調節層に向ける表面はZ字型に設けられており、前記第2ヒンジ面の自由端は、前記Z字型の表面のコーナ階段部に移動可能に接しており、前記コーナ段階部が前記上層固定装置である。前記Z字型の表面上における第3ヒンジ連結軸とコーナ段階部との間に位置する位置には、中間調節層を収納可能である収納スペースが形成され、前記第2ヒンジ面の自由端がコーナ段階部から離れた後、第2ヒンジ面と第1ヒンジ面とは折畳まれて前記収納スペースに収納されている。
【００１１】
簡単なZ字型構造の設計により、第2ヒンジ面と上層支持板との間の移動可能な連結が実現され、構造の設計が簡単で、他の部品のコストが要らず、製造コストが減少される。そして、1回の金属プレスにより速く実現し得るし、製造方法が簡単であり、量産化製造に適宜している。
【００１２】
また、Z字型構造は、中間調節層の収納スペースを更に提供し、第2ヒンジ面の自由端がコーナ段階部から離れた後、第1ヒンジ面と第2ヒンジ面とは折畳まれて一体的構造になり、一字型層構造で収納スペースに収納され、上下層支持板と中間調節層とを層構造状態での一体的構造に形成させる。
【００１３】
外部から見ると、一層の構造しか見られておらず、収縮した状態での高さ調節装置の全体的な構造をだいぶ簡略化させている。即ち、高さ調節装置の隠蔽性を向上させ、高さ調節装置の見られる可能性を減少させ、高さ調節装置の内部構造を隠し、美的作用を果たしている。
【００１４】
更に、前記Z字型表面における第3ヒンジ連結軸とコーナ段階部との間に位置する側縁上には垂直方向バッフルが設けられ、前記垂直方向バッフルはZ字型表面に垂直し、前記垂直方向バッフルの一端はコーナ段階部に連結され、前記垂直方向バッフル上にはZ字型表面に平行なスライディング溝が設けられている。
【００１５】
前記第2ヒンジ面の自由端の側縁には制御軸が設けられ、前記制御軸の自由端は前記Z字型表面のスライディング溝の経由で設けられ、前記制御軸はスライディング溝に沿ってスライディングされている。また、前記制御軸において、スライディング溝を経由した端ヘッドに軸カバーが設けられ、前記軸カバーのサイズは前記スライディング溝の溝ポートのサイズより大きい。
【００１６】
前記スライディング溝の設計は、第2ヒンジ面の自由端の移動軌跡の安定性を向上させる。即ち、第2ヒンジ面の折畳又は展開過程における安定性を向上させ、第2ヒンジ面の低い安定性による身長アップ効果の不安定性を防ぎ得る。第2ヒンジ上における制御軸の設計は、使用者に制御ボタン装置を提供し、使用者は制御軸によって第2ヒンジ面の折畳又は展開が調節でき、使用者は全体的な動きによる第2ヒンジ面の調節を防ぎ得るし、調節の便利性を提供する。
【００１７】
また、制御軸上における軸カバーの設計は、制御軸のスライディング過程におけるスライディング溝の溝ポートからの離れを防ぎ得るし、構造の安定性が破壊される現象の発生を防ぎ得る。
【００１８】
更に、前記第2ヒンジ連結軸上には、トーションばねが設けられ、前記トーションばねの一端は第1ヒンジ面上に固定され、他の一端は第2ヒンジ面上に固定されている。前記第2ヒンジ面の制御軸上の軸カバーは、制御軸の軸方向に沿ってスライディングできる。前記スライディング溝におけるコーナ段階部から離れている一端の溝壁には位置決めポートが設けられ、第2ヒンジ面と第1ヒンジ面とが折り畳まれると、軸カバーは制御軸に沿って内部に向かってスライディングして前記位置決めポートに挿入される。
【００１９】
その中、トーションばねの後回転力の作用下で、使用者の付加の作用力の提供が必要であり、これにより第2ヒンジ面の自由端がコーナ段階部から離れられる。そのため、トーションばねの弾性力とコーナ段階部の制限力との組合せによって、第1ヒンジ面と第2ヒンジ面との間に構成されている三角支持構造の安定性を向上させ、使用者のために安定的な支持力を提供し、ウォーキング過程における安全性を向上させる。同時に、トーションばねの設置も第1ヒンジ面と第2ヒンジ面との間の自動化性能を向上させる。
【００２０】
折畳のみを必要とする場合に、第2ヒンジ面がコーナ段階部から離れるように力を掛け、制御軸をスライディング溝に沿ってスライディングさせ、第2ヒンジ面と第1ヒンジ面とが折畳まれると、再度制御軸上の軸カバーを位置決めポートに圧入させ、折畳位置決めを容易に実現させ、身長アップの解除を実現させる。
【００２１】
また、身長アップ効果の実現が必要である場合、軸カバーを位置決めポートから抜いて離せば良い。トーションばねの後回転力の作用下で、第2ヒンジ面の自由端は、コーナ段階部に接するまでに、スライディング溝に沿って自動的にスライディングされ、自動化性能が強い。前記高さ調節装置の全体的な調節方式は、自動化性、安定性及び実用性が優れている。
【００２２】
更に、前記インソール本体は、人体のヒールの位置に応じて上下層が分離された状態の層状構造で設けられている。前記高さ調節装置は、前記層状構造の上下層の間に設けられており、前記高さ調節装置は、インソール本体の上下層の間に隠蔽されているため、隠蔽性が高く、見られ難く、見られる恥ずかしさを防ぐことが出来る。前記技術案を採用することによる本考案の有益な効果は以下のようである。
【００２３】
上記のように設計された隠蔽性の身長アップインソールが身長アップ効果を必要とする場合、上下層支持板の間を分離させるだけで再度第2ヒンジ面の自由端を上層固定装置に固定させ、第2ヒンジ連結軸を下層支持板の板面上に接させる。即ち、中間調節層を堅実な三角支持構造とし、当該三角支持構造は上下層支持板の間を分離状態で安定させる。即ち、隠蔽性の身長アップインソールは、安定的な高さを有し、同時に上下層支持板の連結端と中間調節層の第2ヒンジ面とも三角構造を構成する。そのため、操作が簡単で、支持構造が安定で、有効的に身長アップ効果を果たす。
【００２４】
身長アップ効果が要らない場合、第2ヒンジ面の自由端を上層固定装置から離せば、中間調節層は折畳まれて一字型の層構造とされる。その時、上下層支持板と中間調節層とは、只簡単な三層の接合の平面層構造であり、平面構造は着用し易く、長時間のウォーキングに有利であり、構造が簡単で、隠蔽し易く、見られる恥ずかしさを防ぐことが出来る。また、全体的な構造は、一体的構造であり、他の部品が要らず、随時部品を携帯する不便も解消され、部品の紛失し易さによる身長アップ効果の維持時間が短しい、実用性の低い課題が解決された。
【図面の簡単な説明】
【００２５】
【図１】本考案の実施例１に係る構造概略図である。
【図２】本考案の実施例2に係る構造概略図である。
【考案を実施するための形態】
【００２６】
以下、図面と具体的な実施例を参照しながら本考案をさらに説明する。
【００２７】
実施例1
図1を参照すると、本考案の実施例1に係る隠蔽性の身長アップインソールは、インソール本体を含み、前記インソール本体は、人体のヒールに応じて、上下層が分離された層状構造に設けられ、前記層状構造の上下層の間には、高さ調節装置が設けられている。前記高さ調節装置は、上層支持板1と、下層支持板2と、上層支持板1と下層支持板2との間に設けられている中間調節層3とを、含み、前記上層支持板1の一端と下層支持板2の一端とは、第1ヒンジ連結軸4によって移動可能に連結されている。
【００２８】
前記中間調節層3は、第1ヒンジ面31と第2ヒンジ面32とを含み、前記第1ヒンジ面31の一端と前記第2ヒンジ面32の一端とは、第2ヒンジ連結軸33によって移動可能に連結されている。前記第1ヒンジ面31における第2ヒンジ面32と連結されていない一端と、上層支持板1における下層支持板2と連結されていない一端とは、第3ヒンジ連結軸5によって移動可能に連結されている。全体的な高さ調節装置の支持力を平均的に分布させるために、上下層支持板の板材料を節約して、資源の節約と、コストの減少の目的に達するために、前記第3ヒンジ連結軸5を、上層支持板1の端ヘッド位置に位置させる。
【００２９】
その中、上層支持板1と、下層支持板2と、第1ヒンジ面31と、第2ヒンジ面32とは、全てが金属シートである。前記上層支持板1において、中間調節層3に向ける表面はZ字型に設けられており、前記第2ヒンジ面32の自由端は、前記Z字型の表面のコーナ階段部11に移動可能に接している。前記Z字型の表面上における第3ヒンジ連結軸5とコーナ段階部11との間に位置する位置には、中間調節層を収納可能である収納スペース12が形成され、前記第2ヒンジ面32の自由端がコーナ段階部11から離れた後、第2ヒンジ面32と第1ヒンジ面31とは折畳まれて前記収納スペース12に収納されている。
【００３０】
前記Z字型表面において、第3ヒンジ連結軸5とコーナ段階部11との間に位置する側縁上には垂直方向バッフルが設けられ、前記垂直方向バッフルはZ字型表面に垂直し、前記垂直方向バッフルの一端はコーナ段階部11に連結され、前記垂直方向バッフル上にはZ字型表面に平行なスライディング溝13が設けられている。
【００３１】
前記第2ヒンジ面32の自由端の側縁には制御軸34が設けられ、前記制御軸34の自由端は前記Z字型表面のスライディング溝13を経由しており、前記制御軸34はスライディング溝13に沿ってスライディングされている。前記制御軸34において、スライディング溝13を経由した端ヘッドには軸カバー35が設けられ、前記軸カバー35のサイズは、前記スライディング溝13の溝ポートのサイズより大きい。
【００３２】
前記隠蔽性の身長アップインソールが身長アップ状態である場合、前記第2ヒンジ面32の自由端は上層支持板1のコーナ段階部11に接し、中間調節層3は三角支持構造とされる。同時に、中間調節層3の第2ヒンジ連結軸33は、下層支持板2の板面上に接し、下層支持板2の板面は三角支持構造の支持固定点とされる。このようにして、三角支持構造は上層支持板1に安定的に支持力を提供すし得るし、着用過程における前記隠蔽性の身長アップインソールの状態の安定性を保証し、実用性を向上させる。
【００３３】
また、その状態での第2ヒンジ面32は、上層支持板1と、下層支持板2と、第1ヒンジ面4との間に更に第2個の三角支持構造を構成させ、二重三角支持構造の支持作用下で、全体的な安定性と強度を向上させ、使用の安定性を向上させる。第2ヒンジ面32の自由端がその重力作用下で上層支持板1のコーナ段階部11から容易に離れないように、スライディング溝13は第2ヒンジ面32の制御軸34に制限作用し、高さ調節装置の三角支持構造がずっと有効的な支持状態にいるように、第2ヒンジ面32の自由端が安定的にコーナ段階部11に接するため、状態の安定性を向上させる。
【００３４】
また、着用過程において、足の作用下で、更に第2ヒンジ面32の自由端とコーナ段階部11との抵抗力を向上させ、更に身長アップ状態の安定性を向上させ、実用性が高い。前記隠蔽性の身長アップインソールが、身長アップ効果を要らない場合、第2ヒンジ面32の自由端を制御軸34の移動下でコーナ段階部11の制限から離れるように、第2ヒンジ面32上の制御軸34を移動させ、スライディング溝13に従ってスライディングさせる。第2ヒンジ面32の自由端のスライディングに従って、第2ヒンジ面32はゆっくり第1ヒンジ面31と折畳まれ、中間調節層3は最終的に一字型の層構造に構成される。
【００３５】
全体的なスライディング調節過程において、制御軸34のスライディング溝13を経由した端ヘッドに軸カバー35が設けられ、軸カバー35のサイズはスライディング溝13の溝ポートのサイズより大きく、制御軸34がスライディング過程でスライディング溝13から離れないように、軸カバー35は制御軸34の端ヘッドに制限力を提供するため、制御軸34のスライディング過程が安定的且順調に行われる。
【００３６】
中間調節層3は一字型層構造を形成して上層支持板1のZ字型の表面下の収納スペース12に最終的に収納される。上下層支持板と中間調節層とは、層構造の状態での一体的構造を形成し、外部から見ると一層のみの構造であり、収縮状態の高さ調節装置の全体的な構造をだいぶ簡略化させ、高さ調節装置の隠蔽性を向上させ、高さ調節装置の見られる可能性を減少させ、高さ調節装置の内部構造を隠し、美的作用を果たしている。
【００３７】
この状態から身長アップ状態に転換する場合、只第2ヒンジ面32上の制御軸34を移動すれば良い。第2ヒンジ面32がコーナ段階部11に最終的に接するように、制御軸34によって第2ヒンジ面32を展開させるため、全体的な構造の高さ調節過程の操作が簡単であり、実現し易い。
【００３８】
実施例2
図2を参照すると、本考案の実施例2に係る隠蔽性の身長アップインソールは、実施例1に基づいている。第2ヒンジ連結軸33上には、トーションばね36が設けられ、前記トーションばね36の一端は第1ヒンジ面31上に固定され、他の一端は第2ヒンジ面32上に固定されている。前記第2ヒンジ面32の制御軸34上の軸カバー35は、制御軸34の軸方向に沿ってスライディングされる。
【００３９】
前記スライディング溝13におけるコーナ段階部11から離れている一端の溝壁には位置決めポート14が設けられ、第2ヒンジ面32と第1ヒンジ面31とが折り畳まれると、軸カバー35は制御軸34に沿って内部の方向にスライディングして前記位置決めポート14に挿入される。
【００４０】
その中、トーションばね36の後回転力の作用下で、使用者の付加の作用力の提供が必要であり、これにより第2ヒンジ面32の自由端がコーナ段階部11から離れられる。そのため、トーションばね36の弾性力とコーナ段階部11の制限力との組合せによって、第1ヒンジ面31と第2ヒンジ面32との間に構成されている三角支持構造の安定性を向上させ、使用者のために安定的な支持力を提供し、ウォーキング過程における安全性を向上させる。
【００４１】
トーションばね36の設置も第1ヒンジ面31と第2ヒンジ面32との間の自動化性能を向上させる。身長アップ状態から平面状態に転換する場合、第2ヒンジ面32がコーナ段階部11から離れるように力を掛ければ良い。
【００４２】
このようにして、制御軸34はスライディング溝13に沿ってスライディングされる。第2ヒンジ面32と第1ヒンジ面31とが折畳まれると、再度制御軸34上の軸カバー35を位置決めポート14に圧入させ、折畳位置決めを容易に実現させ、身長アップの解除を実現させる。また、再度身長アップ状態に転換する場合、軸カバー35を位置決めポート14から抜いて離せば良い。トーションばね36の後回転力の作用下で、第2ヒンジ面32の自由端は、コーナ段階部11に接するまでに、スライディング溝13に沿って自動的にスライディングされ、自動化性能が強い。
【００４３】
前記高さ調節装置の全体的な調節方式は、自動化性、安定性及び実用性が優れている。上記の設計された隠蔽性の身長アップインソールをまとめると、構造が簡単で、製造が便利で、全体的な構造の製造過程に他の部品の増加が要らず、製造コストが減少される。そして、1回の金属プレスにより速く実現することができ、製造が簡単であり、量産化製造に適宜している。また、全体的な構造の設計が合理であり、高さが有効的に調節でき、全ての調節過程における自動化機械性が優れており、使用の便利性が高く、見られる恥ずかしさを減少させ、実用性が高い。
【００４４】
上記の記載は、本創作技術内容の実施例を利用するに過ぎなく、当業者による本創作を利用した範囲内でのいかなる修正、変化は、全てが本創作の主張の特許範囲に属し、本考案を限定するものではない。
【符号の説明】
【００４５】
１：上層支持板
２：下層支持板
３：中間調節層
４：第1ヒンジ連結軸
５：第3ヒンジ連結軸
１１：コーナ階段部
１２：収納スペース
１３：スライディング溝
１４：位置決めポート
３１：第1ヒンジ面
３２：第2ヒンジ面
３３：第2ヒンジ連結軸
３４：制御軸
３５：軸カバー
３６：トーションばね
【図１】
0003198922.tif 000003
【図２】
0003198922.tif 000004